(57)【要約】【課題】電池パックを提供する。【解決手段】電池パックに係り、該電池パックは、少なくとも２以上の電池セルと、電池セルの充放電動作を制御するための回路基板と、電池セルと連結され、回路基板に向けて延長され、電池セルに最も近接した曲折部が電池セルの電池領域内に位置する連結タブと、を含み、これにより、コンパクト化に有利であり、低抵抗設計が適用された電池パックである。【選択図】図１
2017162806.tif 000002
【特許請求の範囲】
【請求項１】
少なくとも２以上の電池セルと、
前記電池セルの充放電動作を制御するための回路基板と、
前記電池セルと連結され、回路基板に向けて延長され、前記電池セルに最も近接した曲折部が電池セルの電池領域内に位置する連結タブと、を含む電池パック。
【請求項２】
前記連結タブは、互いに隣接する電池セルを電気的に連結する連結部材から延長され、
前記電池領域は、１つの前記連結部材によって連結された多数の電池セル領域を包括する領域であることを特徴とする請求項１に記載の電池パック。
【請求項３】
前記連結タブは、
前記電池セルを電気的に連結するための連結部材から第１方向に向けて延長される第１部分と、
前記曲折部を介して、第１方向と異なる電池セルの長手方向に延長される第２部分と、を含むことを特徴とする請求項１に記載の電池パック。
【請求項４】
前記連結タブの第１部分は、互いに隣接する電池セルの谷領域を横切って延長されることを特徴とする請求項３に記載の電池パック。
【請求項５】
前記連結タブの第２部分は、互いに隣接する電池セルの谷領域内に位置することを特徴とする請求項３に記載の電池パック。
【請求項６】
前記連結部材は、
前記第１方向に沿って互いに隣接する電池セルを並列連結し、
前記第１方向と異なる第２方向に沿って互いに隣接する電池セルを直列連結することを特徴とする請求項３に記載の電池パック。
【請求項７】
前記連結タブは、
前記回路基板に接続される接続部と、
前記第２部分と接続部との間に延長されるリード部と、をさらに含むことを特徴とする請求項３に記載の電池パック。
【請求項８】
前記連結タブは、一体に形成された金属板を含むことを特徴とする請求項７に記載の電池パック。
【請求項９】
前記連結タブは、前記連結部材と一体に形成された金属板を含むことを特徴とする請求項８に記載の電池パック。
【請求項１０】
前記接続部は、前記回路基板に対して直接接続されることを特徴とする請求項７に記載の電池パック。
【請求項１１】
前記回路基板には、前記接続部が挟まれるための接続ホールが形成されることを特徴とする請求項１０に記載の電池パック。
【請求項１２】
前記リード部は、前記第１方向、及び前記第１方向と異なる第２方向を同時に追従するように斜め傾斜角度を有して斜線方向に延長されることを特徴とする請求項７に記載の電池パック。
【請求項１３】
前記回路基板は、前記第１方向に沿って電池セルの上方に位置することを特徴とする請求項１２に記載の電池パック。
【請求項１４】
前記連結部材は、
前記電池セルとは互いに異なる第１溶接部及び第２溶接部と、
前記第１溶接部及び第２溶接部の間を横切る切開部と、を含むことを特徴とする請求項３に記載の電池パック。
【請求項１５】
前記電池セルを収容するためのセルホルダをさらに含み、
前記セルホルダは、内部面で電池セルを取り囲み、外部面の上に前記回路基板が配置されることを特徴とする請求項１に記載の電池パック。
【発明の詳細な説明】
【技術分野】
【０００１】
本発明は、電池パックに関する。
【背景技術】
【０００２】
一般的に、二次電池は、充電が不可能な一次電池とは異なり、充放電が可能な電池である。二次電池は、モバイル機器、電気自動車、ハイブリッド自動車、電気自転車、無停電電源供給装置（uninterruptible power supply）などのエネルギー源として使用され、適用される外部機器の種類によって、単一電池の形態で使用されたり、多数の電池を連結して１つの単位にまとめたパック形態で使用されたりする。
【０００３】
携帯電話のような小型モバイル機器は、単一電池の出力及び容量で、所定時間作動が可能であるが、電力消耗が多い電気自動車、ハイブリッド自動車のように、長期間駆動、高電力駆動が必要な場合には、出力及び容量の問題で、多数の電池を含むパック形態が好まれ、内蔵された電池の個数によって、出力電圧や出力電流を高めることができる。
【発明の概要】
【発明が解決しようとする課題】
【０００４】
本発明が解決しようとする課題は、電池セルと回路基板との電気的な連結を媒介する連結タブの空間が縮小され、コンパクト化に有利な電池パックを含むことである。
【０００５】
また、本発明が解決しようとする課題は、信号伝達パスが短縮され、低抵抗設計が適用された電池パックを含むことである。
【０００６】
また、本発明が解決しようとする課題は、電池セルと回路基板との電気的な連結を媒介する連結タブの支持強度が向上する電池パックを含むことである。
【課題を解決するための手段】
【０００７】
前述のような課題、及びそれ以外の課題を解決するために、本発明の電池パックは、少なくとも２以上の電池セルと、前記電池セルの充放電動作を制御するための回路基板と、前記電池セルと連結され、回路基板に向けて延長され、前記電池セルに最も近接した曲折部が電池セルの電池領域内に位置される連結タブと、を含む。
【０００８】
例えば、前記連結タブは、互いに隣接する電池セルを電気的に連結する連結部材から延長され、前記電池領域は、１つの前記連結部材によって連結された多数の電池セル領域を包括する領域に該当する。
【０００９】
例えば、前記連結タブは、前記電池セルを電気的に連結するための連結部材から第１方向に向けて延長される第１部分と、
【００１０】
前記曲折部を介して、第１方向と異なる電池セルの長手方向に延長される第２部分と、を含む。
【００１１】
例えば、前記連結タブの第１部分は、互いに隣接する電池セルの谷領域を横切って延長される。
【００１２】
例えば、前記連結タブの第２部分は、互いに隣接する電池セルの谷領域内に位置する。
【００１３】
例えば、前記連結部材は、前記第１方向に沿って互いに隣接する電池セルを並列連結し、前記第１方向と異なる第２方向に沿って互いに隣接する電池セルを直列連結する。
【００１４】
例えば、前記連結タブは、前記回路基板に接続される接続部と、前記第２部分と接続部との間に延長されるリード部と、をさらに含む。
【００１５】
例えば、前記連結タブは、一体に形成された金属板を含む。
【００１６】
例えば、前記連結タブは、前記連結部材と一体に形成された金属板を含む。
【００１７】
例えば、前記接続部は、前記回路基板に対して直接接続される。
【００１８】
例えば、前記回路基板には、前記接続部が挟まれるための接続ホールが形成されている。
【００１９】
例えば、前記リード部は、前記第１方向、及び前記第１方向と異なる第２方向を同時に追従するように斜め傾斜角度を有して斜線方向に延長される。
【００２０】
例えば、前記回路基板は、前記第１方向に沿って電池セルの上方に位置する。
【００２１】
例えば、前記連結部材は、前記電池セルとは互いに異なる第１溶接部及び第２溶接部と、前記第１溶接部及び第２溶接部の間を横切る切開部と、を含む。
【００２２】
例えば、前記電池パックは、前記電池セルを収容するためのセルホルダをさらに含み、前記セルホルダは、内部面で電池セルを取り囲み、外部面の上に前記回路基板が配置される。
【発明の効果】
【００２３】
本発明によれば、電池セルと回路基板との間で電気的な連結を媒介する連結タブが占める空間を縮小させることにより、全体電池パックの構成がコンパクト化される。また、連結タブを介した信号伝達パスを短縮し、低抵抗設計が可能になる。隣接する電池セル間の無効な谷領域を活用し、連結タブが占める空間を縮小させると共に、連結タブが谷領域に配置されることにより、連結タブと、他の構成との干渉を避けることができ、外部衝撃や振動があった場合にも、連結タブが堅固に支持される。
【図面の簡単な説明】
【００２４】
【図１】本発明の望ましい一実施形態による電池パックの斜視図である。
【図２】本発明の望ましい一実施形態による電池パックの斜視図である。
【図３】図１の一部に係わる斜視図である。
【図４】図１に図示された連結タブの斜視図である。
【図５】図１に図示された電池パックの側面図である。
【図６】図１に図示された電池パックの側面図である。
【発明を実施するための形態】
【００２５】
以下、添付された図面を参照し、本発明の望ましい実施形態に係わる電池パックについて説明する。
【００２６】
図１及び図２には、本発明の望ましい一実施形態による電池パックの斜視図が図示されている。図３には、図１の一部に係わる斜視図が図示されている。図４には、図１に図示された連結タブの斜視図が図示されている。そして、図５及び図６には、図１に図示された電池パックの側面図が図示されている。
【００２７】
該図面を参照すれば、前記電池パックは、多数の電池セル１０と、前記電池セル１０を収容するためのセルホルダ１００と、前記電池セル１０の充放電動作を制御するための回路基板５０と、を含んでもよい。
【００２８】
前記電池セル１０は、長手に方向に沿って、両端に互いに異なる電極が形成され、円筒状に形成される。円筒状外周面が互いに当接する隣接する電池セル１０間には、凹状の谷領域（valley region）ｇが形成される。
【００２９】
前記電池セル１０は、２以上多数の電池セル１０を含んでもよい。前記多数の電池セル１０は、直列方式、並列方式または直並列混合方式で互いに電気的に連結される。前記多数の電池セル１０は、連結部材１２０によって互いに電気的に連結され、例えば、互いに隣接する電池セル１０の同じ極性同士を電気的に連結する連結部材１２０によって、並列連結されるか、あるいは互いに隣接する電池セル１０の反対極性同士を電気的に連結する連結部材１２０によって、直列連結される。
【００３０】
例えば、ある１つの連結部材１２０は、４個の電池セル１０を電気的に連結することができるが、前記連結部材１２０は、第１方向Ｚ１に、互いに隣接する電池セル１０を、並列に連結しながら、第２方向Ｚ２に互いに隣接する電池セル１０を直列に連結することができる。さらに具体的には、前記連結部材１２０は、第１方向Ｚ１に対をなす電池セル１０の同じ極性を連結しながら、当該電池セル１０を並列に連結し、第２方向Ｚ２に対をなす電池セル１０の反対極性を連結しながら、当該電池セル１０を直列に連結することができる。
【００３１】
前記第１方向Ｚ１には、並列連結を形成し、第２方向Ｚ２には、直列連結を形成することにより、並列・直列の混合連結を形成することができ、これにより、高容量高出力に電池パックの出力容量を最適化させることができる。また、１つの連結部材１２０を利用して、第１方向Ｚ１には、並列連結を形成し、第２方向Ｚ２には、直列連結を形成することにより、互いに隣接する電池セル１０を連結するための連結部材１２０の個数を減らすことができる。
【００３２】
前記電池セル１０は、セルホルダ１００に収容される。前記セルホルダ１００は、電池セル１０と整合される形態の収容空間を提供することができる。例えば、前記セルホルダ１００は、第１方向Ｚ１及び第２方向Ｚ２に沿って配列された多数の円筒状収容空間を含んでもよい。前記セルホルダ１００は、電池セル１０と対向する内部面１０２では、電池セル１０を取り囲み、外部面１０１では、回路基板５０を支持することができる。
【００３３】
前記セルホルダ１００は、電池セル１０の収容空間を提供する限度において、多様な形態に形成される。例えば、前記セルホルダ１００は、一体にも形成され、互いに異なる部材の結合によっても形成される。例えば、前記電池セル１０と回路基板５０との間に介在される２つの互いに異なる部材が結合され、１つのセルホルダ１００を形成することもできる。かような点において、前記セルホルダ１００の外部面１０１とは、回路基板５０を支持する支持面を意味する。
【００３４】
前記電池パックは、電池セル１０の充放電動作を制御するための回路基板５０をさらに含んでもよい。前記回路基板５０は、電池セル１０の状態情報を入手し、入手された状態情報に基づいて、電池セル１０の充放電動作を制御することができる。例えば、前記回路基板５０は、電池セル１０の温度、電圧のような状態情報を入手し、入手された状態情報に基づいて、過充電、過放電、過熱のような誤動作を捕捉し、電池セル１０の充放電動作を中止するような保護措置を取ることができる。前記回路基板５０は、セルホルダ１００の外部面１０１上に配置される。前記回路基板５０は、電池セル１０から状態情報を入手することができ、連結タブ１５０を介して、電池セル１０と連結される。
【００３５】
前記連結タブ１５０は、連結部材１２０から、セルホルダ１００の外部面１０１に向けて上方に延長される第１部分１５１と、セルホルダ１００の外部面１０１上に配置される第２部分１５２と、を含み、第１部分１５１及び第２部分１５２の連結する曲折部１５３を含んでもよい。前記第１部分１５１は、連結部材１２０から第１方向Ｚ１に向けて延長される。例えば、前記第１部分１５１は、連結部材１２０から互いに隣接する電池セル１０の谷領域ｇを横切って延長される。
【００３６】
前記電池セル１０は、円筒状に形成され、互いに隣接する電池セル１０間には、凹状の谷領域ｇが形成される。このとき、前記第１部分１５１は、互いに隣接する電池セル１０間の谷領域ｇを横切って延長されることにより、連結タブ１５０が占める空間高さを最小化させることができる。
【００３７】
前記第２部分１５２は、第１部分１５１から延長され、曲折部１５３を介して、第１方向１５１と異なる方向、例えば、電池セル１０の長手方向に延長される。前記第１部分１５１が互いに隣接する電池セル１０の谷領域ｇを横切って延長されるとき、前記第２部分１５２は、前記谷領域ｇ内に位置することができる。このように、第２部分１５２が、隣接する電池セル１０間の谷領域ｇ内に位置することにより、例えば、外部振動や衝撃があった場合にも、連結タブ１５０の遊動が防止され、連結タブ１５０が保護される。
【００３８】
前記連結タブ１５０の曲折部１５３は、電池領域Ｓ内に配置される。ここで、電池領域Ｓとは、電気的に連結された一群の電池セル１０が占める領域を意味する。例えば、前記電池領域Ｓとは、連結部材１２０によって互いに電気的に連結された電池セル１０領域を含み、第１方向Ｚ１及び第２方向Ｚ２に沿う正方形領域を意味する。ここで、例えば、前記連結部材１２０は、２ｘ２に配列された４個の電池セル１０を電気的に連結することができる。
【００３９】
本発明の他の実施形態において、前記電池領域Ｓとは、連結部材１２０によって互いに電気的に連結された電池セル１０領域を含み、第１方向Ｚ２及び第２方向Ｚ２に沿う直射角領域を意味する。ここで、例えば、前記連結部材１２０は、３ｘ２に配列された６個の電池セル１０を電気的に連結することができる。
【００４０】
本発明の他の実施形態において、前記電池領域Ｓとは、連結部材１２０によって互いに電気的に連結された電池セル１０領域を含み、平行四辺形領域を意味する。ここで、例えば、前記連結部材１２０は、互いに互い違いになるように、２ｘ２に配列された電池セル１０を電気的に連結することができる。
【００４１】
本発明の他の実施形態において、前記電池領域Ｓとは、連結部材１２０によって互いに電気的に連結された電池セル１０領域を含み、台形領域を意味する。ここで、例えば、前記連結部材１２０は、上部の電池セル１０が、下部の電池セル１０との間の谷領域に配置されるように、互いに行き違うように配置され、上部の２個の電池セル１０と、下部の３個の電池セル１０と、を電気的に連結することができる。
【００４２】
連結タブ１５０の曲折部１５３が、電池領域Ｓ内に配置されるとき、曲折部１５３以前の第１部分１５１は、互いに隣接する電池セル１０の谷領域ｇを横切って延長され、曲折部１５３以後の第２部分１５２は、互いに隣接する電池セル１０の谷領域ｇ内に位置することができる。それについては、追ってさらに詳細に説明する。
【００４３】
前記連結タブ１５０は、回路基板５０に直接接続される。ここで、前記連結タブ１５０が回路基板５０に直接接続されるということは、連結タブ１５０と回路基板５０との電気的な連結を媒介するための別途の接続部材、例えば、柔軟性を持つワイヤが介在しないということを意味する。
【００４４】
前記連結タブ１５０は、回路基板５０に直接接続される接続部１５５をさらに含んでもよい。前記接続部１５５は、回路基板５０の接続ホール５０’に挟まれ、接続ホール５０’周辺の接続パッド（図示せず）に半田付け固定される。
【００４５】
前記連結タブ１５０は、接続部１５５と第２部分１５２との間に延長されるリード部１５４をさらに含んでもよい。前記リード部１５４は、第２部分１５２から回路基板５０の接続ホール５０’に向けて延長される。前記リード部１５４の延長方向は、具体的な回路基板５０の設計によって異なり、例えば、回路基板５０の接続ホール５０’の配置によって異なる。本発明の一実施形態において、前記リード部１５４は、接続ホール５０’に向けて、回路基板５０の一辺部方向に沿って延長される。
【００４６】
前記リード部１５４は、第１方向Ｚ１に沿って、電池セル１０の上方に配置された回路基板５０の接続ホール５０’に向けて延長される。言い換えれば、前記リード部１５４は、回路基板５０の一辺部方向に沿って延長されると同時に、回路基板５０に向けて上方に延長されながら、全体的に斜め傾斜角度を有する斜線形態に延長される。
【００４７】
例えば、前記回路基板５０は、電池セル１０の配列方向に沿って第１方向Ｚ１に長く延長された１対の長辺部と、前記１対の長辺部間の１対の短辺部とを含むほぼ長方形状に形成される。このとき、前記リード部１５４は、長辺部の方向（第１方向Ｚ１）と上方（第２方向Ｚ２）とに追従する斜め傾斜角度方向に延長される。
【００４８】
前記電池セル１０は、連結部材１２０によって、隣接する電池セル１０と互いに電気的に連結される。例えば、ある１つの連結部材１２０は、４個の電池セル１０を電気的に連結することができるが、前記連結部材１２０は、第１方向Ｚ１に、互いに隣接する電池セル１０を並列に連結しながら、第２方向Ｚ２に、互いに隣接する電池セル１０を直列に連結することができる。さらに具体的には、前記連結部材１２０は、第１方向Ｚ１に対をなす電池セル１０の同じ極性を連結しながら、当該電池セル１０を並列に連結し、第２方向Ｚ２に対をなす電池セル１０の反対極性を連結しながら、当該電池セル１０を直列に連結することができる。
【００４９】
第１方向Ｚ１には、並列連結を形成し、第２方向Ｚ２には、直列連結を形成することにより、並列・直列の混合連結を形成することができ、それにより、高容量高出力に電池パックの出力容量を最適化させることができる。また、１つの連結部材１２０を利用し、第１方向Ｚ１には、並列連結を形成し、第２方向Ｚ２には、直列連結を形成することにより、互いに隣接する電池セル１０を連結するための連結部材１２０の個数を減らすことができる。
【００５０】
前記連結タブ１５０の第１部分１５１は、並列連結方向である第１方向Ｚ１に沿って延長される。前記連結タブ１５０の第１部分１５１は、並列連結方向または直列連結方向のうちいずれか１つの排他的な方向に延長される。すなわち、本発明の一実施形態において、前記連結タブ１５０の第１部分１５１は、並列連結方向である第１方向Ｚ１に沿って延長されるので、直列連結方向である第２方向Ｚ２に延長されない。
【００５１】
１つの連結部材１２０が直列連結及び並列連結を同時に行うことにより、電池パックの出力容量を高出力高容量に最適化させることができ、１つの連結部材１２０を介して、直列連結及び並列連結を同時に行うことにより、連結部材１２０の個数を減らすことができる。このように、１つの連結部材１２０に対して、互いに排他的な並列連結方向及び直列連結方向が定義されるので、前記連結タブ１５０の第１部分１５１の延長方向は、並列連結方向または直列連結方向のうちいずれか１つの排他的な方向に決定される。
【００５２】
前記連結タブ１５０のリード部１５４は、並列連結方向である第１方向Ｚ１と、直列連結方向である第２方向Ｚ２とを同時に追従する斜線方向に延長される。前記連結タブ１５０のリード部１５４は、回路基板５０の接続ホール５０’に向けて延長され、前述のように、１つの連結部材１２０に対して、互いに排他的な並列連結方向及び直列連結方向が定義されるので、前記連結タブ１５０の第２部分１５２の延長方向は、並列連結方向及び直列連結方向が混合した斜線方向に決められる。
【００５３】
前記回路基板５０は、電池セル１０の充放電動作を制御するための回路部を形成することができる。前記回路基板５０は、連結タブ１５０を介して、電池セル１０の状態情報、例えば、電圧や温度のような電池セル１０の状態情報を入手することができる。そして、入手された電池セル１０の状態情報に基づいて、電池セル１０の充放電動作を制御することができる。前記連結タブ１５０は、電池セル１０と電気的及び熱的に連結され、電池セル１０の電圧や温度情報を共有するので、連結タブ１５０を介して、電池セル１０の状態情報を入手することができる。
【００５４】
前記回路基板５０には、前記連結タブ１５０との接続のための接続ホール５０’が形成されている。図面に図示されていないが、前記接続ホール５０’の周辺には、接続パッド（図示せず）が形成され、連結タブ１５０を介して伝達された状態情報は、接続パッド（図示せず）を介して、回路基板５０の要求部分に伝達される。さらに具体的には、前記連結タブ１５０の接続部１５５は、前記回路基板５０の接続ホール５０’に直接挟まれる。そして、連結タブ１５０の接続部１５５と、接続ホール５０’周辺の接続パッド（図示せず）は、互いに対して半田付けによって固定される。
【００５５】
前記回路基板５０は、連結タブ１５０によって支持される。例えば、前記回路基板５０は、セルホルダ１００の外部面１０１上に固定されるが、セルホルダ１００の外部面１０１上に延長された連結タブ１５０によって支持される。例えば、セルホルダ１００の外部面１０１上には、多数の連結タブ１５０が延長され、前記回路基板５０は、互いに異なる接続ホール５０’に挟んで固定された連結タブ１５０を介して、セルホルダ１００の外部面１０１上に位置固定される。このとき、前記連結タブ１５０の弾性のある支持によって、前記回路基板５０に加えられる衝撃や振動が減衰され、前記回路基板５０は、前記連結タブ１５０内から斜線方向に延長されるリード部１５４によって、弾性的に支持される。
【００５６】
前記連結部材１２０は、電池パックの前後において、互いに交互するパターンに配置される。例えば、電池パックの前方に配置された連結部材１２０が、第２方向Ｚ２に沿って、３番目と４番目との電池セル１０を連結するならば、電池パックの後ろ側に配置された連結部材１２０は、前記３番目と４番目との電池セル１０を連結せず、例えば、２番目と３番目との電池セル１０を連結することができる。このように、電池パックの前後で互いに交互する連結部材１２０の配置によって、多数の電池セル１０が直列連結を形成することができる。
【００５７】
さらに具体的には、並列連結方向である第１方向Ｚ１に沿って、第１列と第２列との電池セル１０は、互いに並列に連結され、直列連結方向である第２方向Ｚ２に沿って、連結タブ１５０が交互するパターンに配列され、第２方向Ｚ２に沿って互いに隣接する電池セル１０を直列連結することができる。
【００５８】
前記連結タブ１５０は、連結部材１２０から延長され、連結部材１２０と一体に形成される。例えば、前記連結タブ１５０は、連結部材１２０と共に一体に形成された金属板を含んでもよい。前記連結タブ１５０は、電池セル１０の電圧情報を回路基板５０に伝達することができる。例えば、前記回路基板５０は、連結タブ１５０を介して伝達された電池セル１０の電圧情報から、バランシング動作を遂行することができる。前記連結タブ１５０は、電池セル１０の電圧情報を伝達するために十分な限度において、最小幅に形成され、ジュール熱によって切れないほどの幅に形成される。さらに具体的には、前記連結タブ１５０は、２ｍｍの幅に形成される。
【００５９】
前記連結タブ１５０は、連結部材１２０から、セルホルダ１００の外部面１０１に向けて第１方向Ｚ１に延長される第１部分１５１と、前記第１部分１５１から延長され、セルホルダ１００の外部面１０１上に配置される第２部分１５２と、を含んでもよい。そして、前記連結タブ１５０は、第１部分１５１及び第２部分１５２の間で方向転換される曲折部１５３を含んでもよい。
【００６０】
本明細書を通じて、前記曲折部１５３とは、連結タブ１５０の曲折された部分を意味するが、例えば、連結タブ１５０が多数の曲折された部分を有するとき、前記曲折部１５３は、電池セル１０に最も近接するように曲折された部分に該当する。後述するが、前記曲折部１５３は、電池領域Ｓ内に位置することができる。
【００６１】
図５及び図６を参照すれば、前記連結タブ１５０の曲折部１５３は、電池領域Ｓ内に配置される。ここで、電池領域Ｓとは、電気的に連結された一群の電池セル１０が占める領域を意味する。さらに具体的には、前記電池領域Ｓとは、１つの連結部材１２０によって連結された多数の電池セル１０領域を包括し、第１方向Ｚ１及び第２方向Ｚ２に沿う四角領域に該当する。
【００６２】
前記連結タブ１５０の曲折部１５３が電池領域Ｓ内に配置されるということは、連結タブ１５０の曲折部１５３が電池領域Ｓから突出せず、電池領域Ｓ内部に配置されるということを意味し、その結果、電池パックのコンパクト化された構成が可能であるということを意味する。
【００６３】
前記連結タブ１５０は、連結部材１２０から第１方向Ｚ１に沿って上方に突出し、セルホルダ１００の外部面１０１上に延長される。このとき、前記連結タブ１５０は、曲折部１５３までは、外部面１０１に向けて上方に突出し（第１部分１５１に該当）、曲折部１５３以後では、セルホルダ１００の外部面１０１と平行方向に延長される（第２部分１５２に該当）。前記連結タブ１５０の曲折部１５３は、連結タブ１５０が占める空間高さに対する基準を提供することができ、曲折部１５３が電池領域Ｓを外れれば、連結タブ１５０が占める空間高さが増大するので、空間が大きくなり、コンパクト化された構成に不利になる。
【００６４】
前記連結タブ１５０の曲折部１５３は、電池領域Ｓ内に配置される。一実施形態では、前記連結タブ１５０、具体的には、連結タブの第１部分１５１は、隣接する電池セル１０の谷領域ｇを介して延長され、それによって、前記連結タブ１５０の曲折部１５３は、電池セル１０円筒面の頂点ＰＥと同じであるか、あるいは頂点ＰＥより低い高さに形成される。すなわち、前記連結タブ１５０、具体的には、連結タブの第１部分１５１は、隣接する電池セル１０の谷領域ｇを横切って延長されるので、連結タブ１５０の曲折部１５３は、電池セル１０の円筒面頂点ＰＥから突出しない低い高さに形成される。
【００６５】
前記連結タブ１５０の曲折部１５３が電池領域Ｓ内に配置されるというのは、連結タブ１５０の第１部分１５１が相対的に短く形成されるということなので、連結タブ１５０の信号伝達パスを短縮し、低抵抗設計が可能となり、高い正確度で、電池セル１０の状態情報を伝達することができるということを意味する。
【００６６】
前記連結タブ１５０の第１部分１５１が、隣接する電池セル１０の谷領域ｇを横切って延長されれば、曲折部１５３を経た連結タブ１５０の第２部分１５２は、隣接する電池セル１０の谷領域ｇ内に配置される。このように、連結タブ１５０が電池セル１０の谷領域ｇ内に配置されれば、連結タブ１５０の堅固な位置固定が可能である。すなわち、前記連結タブ１５０は、谷領域ｇ内において、他の構成との干渉を避けることができ、外部衝撃や振動があった場合にも、堅固に支持される。
別の記載によれば、連結タブ１５０の第１部分１５１、第２部分１５２および曲折部１５３は、例えば図５に図示されるように、電池領域Ｓ、すなわち、隣接する電池セルの最も外側の側面に接し、それに沿って位置する仮想面によって定義される当該領域すなわち包絡面の内側に位置し、第１部分１５１、第２部分１５２および曲折部１５３は当該包絡面から外部に延在せず、周囲の電池セルによってある程度保護される。回路基板と接続するための電池セル間の空間を使用することによっても、電池パックの構成をよりコンパクト化できる。
【００６７】
図６を参照すれば、前記連結部材１２０は、電池セル１０に対して溶接結合される。例えば、前記連結部材１２０は、各電池セル１０と互いに異なる第１溶接部Ｐ１及び第２溶接部Ｐ２を含んでもよく、前記第１溶接部Ｐ１及び第２溶接部Ｐ２の間を横切る切開部Ｃを含んでもよい。図面には図示されていないが、前記連結部材１２０と電池セル１０は、互いに異なる極性を有する２つの溶接電極（図示せず）によって印加された溶接電流によって互いに溶接されながら、連結部材１２０上には、互いに異なる第１溶接部Ｐ１及び第２溶接部Ｐ２が形成される。このとき、前記第１溶接部Ｐ１及び第２溶接部Ｐ２の間には、切開部Ｃが形成される。前記切開部Ｃは、第１溶接部Ｐ１及び第２溶接部Ｐ２を介して印加された溶接電流が、連結部材１２０と電池セル１０との接合面に流れないように、連結部材１２０の表面に沿って流れる、いわゆる、漏れ電流を遮断するためのものである。前記切開部Ｃは、第１溶接部Ｐ１及び第２溶接部Ｐ２の間を連結する間隔を広くさせることにより、連結部材１２０の表面を介して、第１溶接部Ｐ１及び第２溶接部Ｐ２が直接連結されることを防止することができる。
【００６８】
本発明によれば、電池セルと回路基板との間において、電気的な連結を媒介する連結タブが占める空間を縮小させることにより、全体電池パックの構成がコンパクト化される。また、連結タブを介した信号伝達パスを短縮し、低抵抗設計が可能になる。隣接する電池セル間の無効な谷領域を活用し、連結タブが占める空間を縮小させると共に、連結タブが谷領域に配置されることにより、連結タブと異なる構成間の干渉を避けることができ、外部衝撃や振動があった場合にも、連結タブが堅固に支持される。
【００６９】
本発明は、添付された図面に図示された実施形態を参照して説明したが、それらは例示的なものに過ぎず、本発明が属する技術分野において当業者であるならば、それらから多様な変形、及び均等な他の実施形態が可能であるという点を理解することができるであろう。従って、本発明の真の保護範囲は、特許請求の範囲によって決められるものである。
【産業上の利用可能性】
【００７０】
本発明の電池パックは、例えば、バッテリ関連の技術分野に効果的に適用可能である。
【符号の説明】
【００７１】
１０    電池セル
５０    回路基板
５０’    接続ホール
１００    セルホルダ
１０１    セルホルダの外部面
１０２    セルホルダの内部面
１２０    連結部材
１５０    連結タブ
１５１    連結タブの第１部分
１５２    連結タブの第２部分
１５３    連結タブの曲折部
１５４    連結タブのリード部
１５５    連結タブの接続部
ｇ    谷領域
Ｃ    切開部
Ｓ    電池領域
Ｐ１    第１溶接部
Ｐ２    第２溶接部
ＰＥ    頂点
【図１】
2017162806.tif 000003
【図２】
2017162806.tif 000004
【図３】
2017162806.tif 000005
【図４】
2017162806.tif 000006
【図５】
2017162806.tif 000007
【図６】
2017162806.tif 000008